(57)【要約】  信号伝送システムが、少なくとも一つの電力半導体スイッチ（Ｓ１，Ｓ２，...，Ｓｎ）をコントローラ（１１）から駆動するために、使用される。このコントローラ（１１）は、少なくとも一つのコントロール信号を、少なくとも一つの変調器（Ｍ１，Ｍ２，...，Ｍｎ）に、少なくとも一つの第一の伝送経路（３）を使用して伝送することが可能である。各電力半導体スイッチ（Ｓ１，Ｓ２，...，Ｓｎ）は、それぞれのコントロール電極ドライバ・ステージ（Ｇ１，Ｇ２，...，Ｇｎ）に接続され、前記少なくとも一つの変調器（Ｍ１，Ｍ２，...，Ｍｎ）は、少なくとも一つの駆動信号を、前記コントロール電極ドライバ・ステージ（Ｇ１，Ｇ２，...，Ｇｎ）のそれぞれに、それぞれの第二の伝送経路（４）を使用して伝送することが可能である。少なくとも一つのコントロール信号および／または駆動信号は、電磁放射を使用して伝送されることが可能であり、対応する伝送経路（３，４）は、ワイヤレスである（図４）。
2008517496.tif 000002
【特許請求の範囲】
【請求項１】
パワー・エレクトロニクス回路（２）の少なくとも一つの電力半導体スイッチ（Ｓ１，Ｓ２，...，Ｓｎ）を、コントローラ（１１）から駆動するための信号伝送システムであって、
各電力半導体スイッチ（Ｓ１，Ｓ２，...，Ｓｎ）は、それぞれのコントロール電極ドライバ・ステージ（Ｇ１，Ｇ２，...，Ｇｎ）に接続されており、
前記コントローラ（１１）は、少なくとも一つのコントロール信号を、少なくとも一つの変調器（Ｍ１，Ｍ２，...，Ｍｎ）へ、少なくとも一つの第一の伝送経路（３）を使用して伝送することが可能であり、
前記少なくとも一つの変調器（Ｍ１，Ｍ２，...，Ｍｎ）は、少なくとも一つの駆動信号を、前記コントロール電極ドライバ・ステージ（Ｇ１，Ｇ２，...，Ｇｎ）のそれぞれへ、それぞれの第二の伝送経路（４）を使用して伝送することが可能である、
信号伝送システムにおいて、
少なくとも一つのコントロール信号、および／または、少なくとも一つの駆動信号が、電磁放射を伝送するためのアンテナを有するトランスミッタ（５）から、電磁放射を受信するためのアンテナを有するレシーバ（６）へ、電磁放射を使用して伝送されることが可能であり、
少なくとも一つの対応する伝送経路（３，４）が、ワイヤレスであること、
を特徴とする信号伝送システム。
【請求項２】
下記特徴を有する請求項１に記載の信号伝送システム：
前記少なくとも一つのコントロール信号、および／または、少なくとも一つの駆動信号は、電磁放射を使用して伝達されることが可能であり、その少なくとも一つの対応する伝送経路（３，４）は、ワイヤレスであり、
前記コントロール信号および／または駆動信号は、変調方法を使用して変調され且つ、０．４ＧＨｚから４００ＧＨｚまでの範囲内の少なくとも一つの搬送周波数を有している。
【請求項３】
下記特徴を有する請求項１または２に記載の信号伝送システム：
前記少なくとも一つのコントロール信号は、電磁放射を使用して伝達されることが可能であり、
前記少なくとも一つの対応する第一の伝送経路（３）は、ワイヤレスであり、
前記コントローラ（１１）は、電磁放射を伝送するためのアンテナを有するトランスミッタ（５）を有し、
少なくとも一つの変調器（Ｍ１，Ｍ２，...，Ｍｎ）は、電磁放射を受信するためのアンテナを有するレシーバ（６）を有し、
前記コントローラ（１１）は、前記トランスミッタ（５）に接続され、
前記少なくとも一つの変調器（Ｍ１，Ｍ２，...，Ｍｎ）は、それぞれのレシーバ（６）に接続されている。
【請求項４】
下記特徴を有する請求項１または２に記載の信号伝送システム：
前記少なくとも一つの駆動信号は、電磁放射を使用して伝送されることが可能であり、
前記少なくとも一つの対応する第二の伝送経路（４）は、ワイヤレスであり、
少なくとも一つの変調器（Ｍ１，Ｍ２，...，Ｍｎ）は、電磁放射を伝送するためのアンテナを有するそれぞれのトランスミッタ（５）に接続され、
少なくとも一つのコントロール電極ドライバ・ステージ（Ｇ１，Ｇ２，...，Ｇｎ）は、電磁放射を受信するためのアンテナを有するそれぞれのレシーバ（６）に接続され、
それぞれの第二の伝送経路（４）は、各トランスミッタ（５）からそれぞれのレシーバ（６）へ通じている。
【請求項５】
下記特徴を有する請求項１または２に記載の信号伝送システム：
前記電力半導体スイッチ（Ｓ１，Ｓ２，...，Ｓｎ）の内の少なくとも一つは、それぞれの状態の値を伝送するために、それぞれのモニター・センサ（Ｆ１，Ｆ２，...，Ｆｎ）に接続され、
前記少なくとも一つの状態の値は、それぞれのフィードバック信号に変換されることが可能であり、
少なくとも一つの第三の伝送経路（８）は、それぞれのフィードバック信号を伝送する目的のために、前記モニター・センサ（Ｆ１，Ｆ２，...，Ｆｎ）の少なくとも一つから、少なくとも一つの変調器（Ｍ１，Ｍ２，...，Ｍｎ）へ、または前記コントローラ（１１）へ、通じていて、
前記少なくとも一つのフィードバック信号は、電磁放射を使用して伝送されることが可能であり、
前記少なくとも一つの対応する第三の伝送経路（８）は、ワイヤレスである。
【請求項６】
下記特徴を有する請求項５に記載の信号伝送システム：
前記少なくとも一つのモニター・センサ（Ｆ１，Ｆ２，...，Ｆｎ）は、電磁放射を伝送するためのアンテナを有するそれぞれのトランスミッタ（５）を有し、
前記少なくとも一つの変調器（Ｍ１，Ｍ２，...，Ｍｎ）または前記コントローラ（１１）は、電磁放射を受信するためのアンテナを有するそれぞれのレシーバ（６）を有し、
少なくとも一つのモニター・センサ（Ｆ１，Ｆ２，...，Ｆｎ）は、それぞれのトランスミッタ（５）に接続され、
前記少なくとも一つの変調器（Ｍ１，Ｍ２，...，Ｍｎ）または前記コントローラ（１１）は、前記少なくとも一つのレシーバ（６）に接続されている。
【請求項７】
パワー・エレクトロニクス回路（２）の少なくとも一つの電力半導体スイッチ（Ｓ１，Ｓ２，...，Ｓｎ）を、コントローラ（１１）から駆動するための、信号伝送システムであって、
各電力半導体スイッチ（Ｓ１，Ｓ２，...，Ｓｎ）は、それぞれのコントロール電極ドライバ・ステージ（Ｇ１，Ｇ２，...，Ｇｎ）に接続されており、
前記コントローラ（１１）は、少なくとも一つのコントロール信号を、少なくとも一つの変調器（Ｍ１，Ｍ２，...，Ｍｎ）へ、少なくとも一つの第一の伝送経路（３）を使用して伝送することが可能であり、
前記少なくとも一つの変調器（Ｍ１，Ｍ２，...，Ｍｎ）は、少なくとも一つの駆動信号を、前記コントロール電極ドライバ・ステージ（Ｇ１，Ｇ２，...，Ｇｎ）のそれぞれへ、それぞれの第二の伝送経路（４）を使用して伝送することが可能であり、
前記電力半導体スイッチ（Ｓ１，Ｓ２，...，Ｓｎ）の少なくとも一つは、それぞれの状態の値を伝送するために、それぞれのモニター・センサ（Ｆ１，Ｆ２，...，Ｆｎ）に接続され、
少なくとも一つの状態の値は、それぞれのフィードバック信号に変換されることが可能であり、
少なくとも一つの第三の伝送経路（８）は、それぞれのフィードバック信号を伝送する目的のために、前記モニター・センサ（Ｆ１，Ｆ２，...，Ｆｎ）の少なくとも一つから、少なくとも一つの変調器（Ｍ１，Ｍ２，...，Ｍｎ）へ、または前記コントローラ（１１）へ、通じていて、
少なくとも一つのフィードバック信号は、電磁放射を使用して伝送されることが可能である、
信号伝送システムにおいて、
前記少なくとも一つのモニター・センサ（Ｆ１，Ｆ２，...，Ｆｎ）は、電磁放射を伝送するためのアンテナを有するそれぞれのトランスミッタ（５）を有し、
少なくとも一つの変調器（Ｍ１，Ｍ２，...，Ｍｎ）または前記コントローラ（１１）は、電磁放射を受信するためのアンテナを有するそれぞれのレシーバ（６）を有し、
少なくとも一つのモニター・センサ（Ｆ１，Ｆ２，...，Ｆｎ）は、それぞれのトランスミッタ（５）に接続され、
少なくとも一つの変調器（Ｍ１，Ｍ２，...，Ｍｎ）または前記コントローラ（１１）は、前記少なくとも一つのレシーバ（６）に接続され、
対応する少なくとも一つの第三の伝送経路（８）は、ワイヤレスであること、
を特徴とする信号伝送システム。
【請求項８】
下記特徴を有する請求項５から７のいずれか１項に記載の信号伝送システム：
前記少なくとも一つのフィードバック信号は、電磁放射を使用して伝達されることが可能であり、その少なくとも一つの対応する伝送経路（８）は、ワイヤレスであり、
このフィードバック信号は、変調方法を使用して変調され、且つ、０．４ＧＨｚから４００ＧＨｚまでの範囲内の少なくとも一つの搬送周波数を有している。
【請求項９】
複数の電力半導体スイッチ（Ｓ１，Ｓ２，...，Ｓｎ）を有し、且つ請求項１から８のいずれか１項に記載された信号伝送システムを有する変換器。
【発明の詳細な説明】
【技術分野】
【０００１】
本発明は、パワー・エレクトロニクスの分野に係る。本発明は、少なくとも一つの電力半導体スイッチを駆動するための信号伝送システム、及び独立クレームの前提部分に基づく変換器に係る。
【背景技術】
【０００２】
図１に、変換器のための従来の信号伝送システムを示す。図１によれば、駆動デバイス１は、コントローラ１１及び変調器Ｍ１を有している。第一の伝送経路３は、コントローラ１１と変調器Ｍ１の間に位置し、ケーブル、並びに、信号を伝送するための光波トランスミッタ（例えばダイオードなど）、及び信号を受信するための光波レシーバ（例えばダイオードなど）を有している。パワー・エレクトロニクス回路２は、コントロール電極ドライバ・ステージＧ１，Ｇ２，...，Ｇｎを有し、それらのコントロール電極ドライバ・ステージは、それぞれ、電力半導体スイッチＳ１，Ｓ２，...，Ｓｎに接続されている。
【０００３】
それぞれの第二の伝送経路４は、それぞれ光学的導波路（例えばグラス・ファイバ・ケーブルまたはプラスチックからなる光ファイバ・ケーブル）、並びに信号を伝送及び受信するためのダイオード有し、変調器Ｍ１と各コントロール電極ドライバ・ステージＧ１，Ｇ２，...，Ｇｎの間に位置している。このケースでは、第二の伝送経路４は、スター構造（star structure）に構成されている。
【０００４】
パワー・エレクトロニクス回路２の中のそれぞれのコンポーネントの状態、及び全体のパワー・エレクトロニクス回路２の状態を測定する目的のために、モニター・センサＦ１，Ｆ２，...，Ｆｎが、パワー・エレクトロニクス回路２の中に設けられることもまた可能である。それぞれの第三の伝送経路８は、それぞれ光学的導波路並びに信号を伝送及び受信するためのダイオードを有し、モニター・センサＦ１，Ｆ２，...，Ｆｎとコントローラ１１の間に位置している。
【０００５】
基準値７は、コントローラ１１へ伝送される。コントロール信号は、コントローラ１１の中で、基準値７から決定される。コントロール信号は、コントローラ１１から変調器Ｍ１へ、第一の伝送経路３を使用して伝送される。各個別のスイッチＳ１，Ｓ２，...，Ｓｎのためのデューティ・ファクターは、変調器Ｍ１の中で、コントロール信号から決定される。デューティ・ファクターは、スイッチＳ１，Ｓ２，...，Ｓｎの２つのスイッチング動作の間の時間のインターバルに対応していて、各スイッチＳ１，Ｓ２，...，Ｓｎは、２つのスイッチング状態−スイッチ・オンとスイッチ・オンの間のみで変化することが可能である。
【０００６】
それぞれの駆動信号は、対応するスイッチＳ１，Ｓ２，...，Ｓｎを入り切りするための指令を含んでいて、変調器Ｍ１により、各個別のコントロール電極ドライバ・ステージＧ１，Ｇ２，...，Ｇｎへ、ダイオード及びそれぞれの第二の伝送経路４を使用して伝送され、そして、前記コントロール電極ドライバ・ステージの中で、ダイオードを使用して受信される。パワー・エレクトロニクス回路の中のそれぞれのコンポーネントの状態、及び全体のパワー・エレクトロニクス回路の状態は、モニター・センサＦ１，Ｆ２，...，Ｆｎの中で、測定される。
【０００７】
その測定値は、変調器Ｍ１へ、フィードバック信号の形態で、ダイオードを使用して伝送され、前記変調器の中でダイオードを使用して受信され、スイッチＳ１，Ｓ２，...，Ｓｎのデューティ・ファクターを決定する際に、考慮に入れられる。第二の伝送経路４のそのようなスター構造（star structure）のケースでは、インタフェースが、各変換器に対して必要になり、前記インタフェースは、変換器の中のスイッチの数に正確にデザインされる。もし、変換器が、異なる数のスイッチに変更される場合、新しいインタフェースを製作する必要がある。
【０００８】
スイッチを配置するもう一つのやり方は、リング構造（ring structure）である。その場合、変調器から始まり、各スイッチは、シーケンスの中の次のスイッチに、光学的導波路を使用して接続される。そのような構成は、最もシンプルで且つコスト効率が良いやり方で、実行されることが可能であるが、漏電に対して極めて弱い。その理由は、一つの個別のスイッチの故障、または光学的導波路または光学的導波路の接続部の一つの損傷が、全体のリング構造の故障となるからである。もう一つの問題は、時間遅れである。その時間遅れで、信号がリング構造に渡って伝播し、それが、先に入り切りされたスイッチに対して時間遅れを伴って、各スイッチを入り切りさせる。
【０００９】
上記の伝送経路について、特に光学的導波路についての問題は、それらの信頼性が低いことである。もし、ダイオードが故障した場合には、信号はもはや伝送されない。それに加えて、信号が高い信頼性で伝送されることが可能であるためには、光導波路とダイオードの間の非常に効果的な接続部が必要になり、そして、この接続部は、漏電の影響を受け易い。それに加えて、光学的導波路及びケーブルは、機械的に弱く、コンタミネイションに敏感である。それ故に、そのような配線は、特に過酷な環境下での信頼性が低い。配線は、製造の際及び修理の場合に、複雑で、更に大きなスペースを必要とする。
【００１０】
米国特許第 US 5,210,479 号明細書には、ＩＧＢＴのための駆動ユニットが記載されている。この装置は、ＩＧＢＴの状態を検出し、ＩＧＢＴをコントロールするための信号を、コンダクター（conductor）を使用して伝送する。ＩＧＢＴの中での過電流の信号の場合には、フィードバック信号が生成され、このフィードバック信号が、ＩＧＢＴに接続された発光ダイオードから、駆動ユニットの中のフォト・トランジスタに伝送され、ＩＧＢＴを、ＳＱＡ（safe operating area：安全動作領域）の中の予め規定された値に再度コントロールするためのベースとして使用される。
【００１１】
米国特許第 US 5,383,082 号明細書には、例えば、ＩＧＢＴ、パワーＭＯＳＦＥＴまたはバイポーラ・トランジスタなどの、電力半導体スイッチを、過電流から保護するためのシステムが記載されている。コントロール・ユニットに接続された第一のＬＥＤは、第一のフォト・トランジスタへ駆動信号を伝送し、その第一のフォト・トランジスタは、次に、ＩＧＢＴに接続される。第二のＬＥＤは、ＩＧＢＴのゲートとゲート電圧のための電源の間に配置される。過電流の場合には、第二のＬＥＤは、駆動ユニットに接続された第二のフォト・トランジスタへ信号を伝送する。第二のＬＥＤは、一方では、ゲート電圧を制限するために使用され、もう一方では、駆動ユニットへ過電流信号を伝送するために使用される。その過電流信号は、ＩＧＢＴをコントロールするために使用されることが可能である。この構成によって、駆動ユニットは、ＩＧＢＴから直流絶縁される。
【特許文献１】米国特許第 US 5,210,479 号明細書
【特許文献２】米国特許第 US 5,383,082 号明細書
【発明の開示】
【発明が解決しようとする課題】
【００１２】
それ故に、本発明の目的は、少なくとも一つの電力半導体スイッチを駆動するための、信頼性に優れた信号伝送システムを提供することにある。更に、本発明の目的は、信頼性に優れた変換器を規定することにある。
【課題を解決するための手段】
【００１３】
本発明によれば、これらの目的は、独立特許クレーム１，６及び７の特徴により実現される。
【００１４】
本発明の信号伝送システムは、パワー・エレクトロニクス回路の少なくとも一つの電力半導体スイッチを、コントローラから、駆動するための使用される、ここで、各電力半導体スイッチは、それぞれのコントロール電極ドライバ・ステージに接続されている。少なくとも一つのコントロール信号は、前記コントローラから少なくとも一つの変調器へ、少なくとも一つの第一の伝送経路を使用して伝送されることが可能である。前記少なくとも一つの変調器は、少なくとも一つの駆動信号を、前記コントロール電極ドライバ・ステージのそれぞれへ、それぞれの第二の伝送経路を使用して伝送することが可能である。
【００１５】
本発明によれば、少なくとも一つのコントロール信号、および／または、一つの駆動信号は、電磁放射を使用して伝送されることが可能であり、そして、少なくとも一つの対応する第一または第二の伝送経路は、ワイヤレスである。少なくとも一つのコントロール信号、および／または、少なくとも一つの駆動信号のワイヤレス伝送の結果として、信号伝送システムは、優れた信頼性を有し、それに加えて、機械的に安定で、ダストの影響を受けにくくなる。
【００１６】
それぞれのコントロール電極ドライバ・ステージについて、コントローラ、少なくとも一つの第一の伝送経路、少なくとも一つの変調器、少なくとも一つの第二の伝送経路、及び少なくとも一つの電力半導体スイッチを備えたパワー・エレクトロニクス装置を製造するとき、少なくとも一つの第一の伝送経路および／または第二の伝送経路のための、光学的導波路および／またはケーブルを敷くためのコストもまた、当該伝送経路をワイヤレスにすることによって、節約される。
【００１７】
もし、少なくとも一つのコントロール信号が、電磁放射を使用して伝達されることが可能である場合には、対応する少なくとも一つの第一の伝送経路は、ワイヤレスであり、伝送されることになる少なくとも一つのコントロール信号は、少量のデータを有していて、その結果として、高い伝送速度は要求されない。電磁放射を使用する信号伝送は、データが信頼性のあるやり方で伝送されることが可能であるので、好ましい。
【００１８】
もし、少なくとも一つの駆動信号が、電磁放射を使用して伝送されることが可能である場合には、対応する少なくとも一つの第二の伝送経は、ワイヤレスである。電磁放射を使用する信号伝送は、大量のデータが信頼性のあるやり方で伝送されることが可能なので、好ましい。
【００１９】
他の本発明の実施形態において、少なくとも一つの電力半導体スイッチが、それぞれのモニター・センサに、それぞれの状態の値を伝送するために接続される。それぞれのフィードバック信号を、少なくとも一つのモニター・センサの少なくとも一つから伝送するための少なくとも一つの第三の伝送経路は、少なくとも一つの変調器へまたはコントローラへ通じている。少なくとも一つのフィードバック信号は、電磁放射を使用して伝送されることが可能であり、そして、対応する少なくとも一つの第三の伝送経路はワイヤレスである。この実施形態の利点、少なくとも一つのモニター・センサと少なくとも一つの変調器またはコントローラの間に、配線を設ける必要がないことである。
【００２０】
上記の信号伝送システムの一つは、好ましくは、変換器の中で使用されることが可能である。その理由は、変換器が、本発明の信号伝送システムを使用して、信頼性が高いやり方で入り切りされることが可能な複数の電力半導体スイッチを有しているからであり、かくして、高いレベルの稼働率を有しているからである。そのような本発明の変換器は更に、機械的に安定であり、コンタミネイションの影響を非常に受けにくい。
【発明を実施するための最良の形態】
【００２１】
本発明のこれらの及びその他の目的、利点及び特徴は、図面を参照しながらの、好ましい例示的な本発明の実施形態についての以下の詳細な説明から明らかになる。
【００２２】
図面の中で使用されている参照符号は、参照符号のリストの中にまとめられて示されている。原則として、図面の中で同一の部分には同一の参照符号が付されている。ここに記載された実施形態は、本発明の主題の例を示しており、本発明の範囲を制限するものではない。
【００２３】
以下の実施形態において、光学的導波路とは、信号を伝送するためのコンダクタ（conductor）、並びに信号を伝送するための光波トランスミッタ及び信号を受信するための光波レシーバを有する光学的導波路を意味するものとして、理解すべきである。
【００２４】
図２は、第一の本発明の実施形態の主題を示している。第一の伝送経路３は、コントローラ１１と変調器Ｍ１の間に、配置されている。コントローラ１１は、電磁放射を伝送するためのトランスミッタ５に接続され、変調器Ｍ１は、電磁放射を受信するためのレシーバ６に接続されている。第一の伝送経路３は、ワイヤレスである。このことは、図２の中で、コントローラ１１と変調器Ｍ１の間の破線により、示されている。
【００２５】
パワー・エレクトロニクス回路２は、少なくとも一つのコントロール電極ドライバ・ステージＧ１，Ｇ２，...，Ｇｎ、及び少なくとも一つの電力半導体スイッチＳ１，Ｓ２，...，Ｓｎを有している。例えばグラス・ファイバ・ケーブルまたはプラスチックからなる光ファイバ・ケーブルなどの、光学的導波路は、それぞれの第二の伝送経路４上で、変調器Ｍ１から、コントロール電極ドライバ・ステージＧ１，Ｇ２，...，Ｇｎのそれぞれへ、通じている。コントロール電極ドライバ・ステージＧ１，Ｇ２，...，Ｇｎのそれぞれは、それぞれの電力半導体スイッチＳ１，Ｓ２，...，Ｓｎに接続されている。
【００２６】
図２の中で、基準値７は、コントローラ１１へ伝送される。コントロール信号は、コントローラ１１の中で、基準値７から決定される。コントロール信号は、トランスミッタ５からレシーバ６へ、電磁放射及び第一の伝送経路３を使用して伝送される。変調器Ｍ１の中で、コントロール信号は、それぞれのスイッチＳ１，Ｓ２，...，Ｓｎを入り切りする時点を決定するために使用される。
【００２７】
変調器Ｍ１は、それぞれの第二の伝送経路４を使用して、それぞれの駆動信号を、それぞれのコントロール電極ドライバ・ステージＧ１，Ｇ２，...，Ｇｎへ伝送する。ここで、前記駆動信号は、各コントロール電極ドライバ・ステージＧ１，Ｇ２，...，Ｇｎに接続されるスイッチＳ１，Ｓ２，...，Ｓｎを、スイッチ・オンまたはスイッチ・オフするための指令を含んでいる。コントロール電極ドライバ・ステージＧ１，Ｇ２，...，Ｇｎは、次に、対応するスイッチＳ１，Ｓ２，...，Ｓｎの中で、切替動作を開始する。
【００２８】
図３に示された変形形態の中で、複数の第一の伝送経路３が、コントローラ１１と複数の変調器Ｍ１，Ｍ２，...，Ｍｎの間に形成される。コントローラ１１は、トランスミッタ５に接続される。少なくとも一つの変調器Ｍ１，Ｍ２，...，Ｍｎは、それぞれのレシーバ６に接続される。それぞれの第二の伝送経路４は、変調器Ｍ１，Ｍ２，...，Ｍｎから、それぞれのコントロール電極ドライバ・ステージＧ１，Ｇ２，...，Ｇｎへ通じている。コントロール電極ドライバ・ステージＧ１，Ｇ２，...，Ｇｎのそれぞれは、それぞれの電力半導体スイッチＳ１，Ｓ２，...，Ｓｎに接続されている。
【００２９】
図３の中で、基準値７は、コントローラ１１へ伝送される。コントロール信号は、コントローラ１１の中で、基準値７から決定される。コントロール信号は、コントローラ１１から複数の変調器Ｍ１，Ｍ２，...，Ｍｎへ、電磁放射及び複数の第一の伝送経路３を使用して伝送される。各変調器Ｍ１，Ｍ２，...，Ｍｎは、対応するスイッチＳ１，Ｓ２，...，Ｓｎのために、このスイッチＳ１，Ｓ２，...，Ｓｎが入り切りされる時点を決定し、そして、それぞれの駆動信号を、対応するコントロール電極ドライバ・ステージＧ１，Ｇ２，...，Ｇｎへ、それぞれの第二の伝送経路４を使用して伝送する。コントロール電極ドライバ・ステージＧ１，Ｇ２，...，Ｇｎは、次に、対応するスイッチＳ１，Ｓ２，...，Ｓｎの中で切替動作を開始する。
【００３０】
図２及び図３に示された実施形態は、好ましくは、信号伝送システムの中で使用されることが可能であり、この信号伝送システムにおいて、駆動デバイス１は、コントローラ１１を有し、パワー・エレクトロニクス回路２は、それぞれの対応するスイッチＳ１，Ｓ２，...，Ｓｎについて、少なくとも一つの変調器Ｍ１，Ｍ２，...，Ｍｎ及び少なくとも一つのコントロール電極ドライバ・ステージＧ１，Ｇ２，...，Ｇｎを有している。そのような構成において、少なくとも一つのワイヤレスの第一の伝送経路３は、駆動デバイス１の中のコントローラ１１と、パワー・エレクトロニクス回路２の中の少なくとも一つの変調器Ｍ１，Ｍ２，...，Ｍｎの間に、配置されている。
【００３１】
結果として、駆動デバイス１とパワー・エレクトロニクス回路２の間に、または、少なくとも一つの変調器Ｍ１，Ｍ２，...，Ｍｎへの少なくとも一つの第一の伝送経路３が、少なくともワイヤレスであるパワー・エレクトロニクス回路２の部分に、光学的導波路を設ける必要が無くなり、信号伝送システムの信頼性が増大し、更にまた、機械的に安定になり、且つコンタミネイションに対して強くなる。
【００３２】
図４は、本発明の主題のもう一つの実施形態を示している。第一の伝送経路３が、コントローラ１１と変調器Ｍ１の間に、形成されている。第一の伝送経路３上で、コントローラ１１は、変調器Ｍ１に、ケーブルにより接続される。パワー・エレクトロニクス回路２は、少なくとも一つのコントロール電極ドライバ・ステージＧ１，Ｇ２，...，Ｇｎ及び少なくとも一つの電力半導体スイッチＳ１，Ｓ２，...，Ｓｎを有している。それぞれの第二の伝送経路４は、変調器Ｍ１から少なくとも一つのコントロール電極ドライバ・ステージＧ１，Ｇ２，...，Ｇｎへ通じている。変調器Ｍ１は、少なくとも一つのトランスミッタ５に接続され、そして、少なくとも一つのコントロール電極ドライバ・ステージＧ１，Ｇ２，...，Ｇｎは、それぞれのレシーバ６に接続される。少なくとも一つの第二の伝送経路４は、ワイヤレスである。このことは、図４の中に、変調器Ｍ１とコントロール電極ドライバ・ステージＧ１，Ｇ２，...，Ｇｎのそれぞれの間の破線により示されている。コントロール電極ドライバ・ステージＧ１，Ｇ２，...，Ｇｎのそれぞれは、それぞれの電力半導体スイッチＳ１，Ｓ２，...，Ｓｎに接続されている。
【００３３】
図４の中で、基準値７は、コントローラ１１へ伝送される。コントロール信号は、コントローラ１１の中で、基準値７から決定される。コントロール信号は、コントローラ１１から変調器Ｍ１へ、第一の伝送経路３を使用して伝送され、各個別のスイッチのためのデューティ・ファクターは、前記変調器の中でコントロール信号から決定される。それぞれの駆動信号は、トランスミッタ５からそれぞれのコントロール電極ドライバ・ステージＧ１，Ｇ２，...，Ｇｎへ、電磁放射及びそれぞれの第二の伝送経路４を使用して、伝送され、前記駆動信号は、対応するスイッチＳ１，Ｓ２，...，Ｓｎを、スイッチ・オンまたはスイッチ・オフするための指令を含んでいる。
【００３４】
図４に示された実施形態の一つの変形形態において、各個別のスイッチＳ１，Ｓ２，...，Ｓｎのデューティ・ファクターのみが、駆動信号として、少なくとも一つのコントロール電極ドライバ・ステージＧ１，Ｇ２，...，Ｇｎに伝送される。各コントロール電極ドライバ・ステージＧ１，Ｇ２，...，Ｇｎは、ロジック・ユニットに接続され、そのロジック・ユニットの中で、デューティ・ファクターは、対応するスイッチＳ１，Ｓ２，...，Ｓｎが入り切りされる時点を決定するために使用される。
【００３５】
図５は、本発明の主題のもう一つの実施形態を示している。第一の伝送経路３が、コントローラ１１と変調器Ｍ１の間に形成されている。第一の伝送経路３上で、コントローラ１１は、変調器Ｍ１にケーブルにより接続されている。パワー・エレクトロニクス回路２は、少なくとも一つのコントロール電極ドライバ・ステージＧ１，Ｇ２，...，Ｇｎ及び少なくとも一つの電力半導体スイッチＳ１，Ｓ２，...，Ｓｎを有している。それぞれの第二の伝送経路４は、変調器Ｍ１から少なくとも一つのコントロール電極ドライバ・ステージＧ１，Ｇ２，...，Ｇｎへ通じている。変調器Ｍ１は、トランスミッタ５に接続され、そして、少なくとも一つのコントロール電極ドライバ・ステージＧ１，Ｇ２，...，Ｇｎは、それぞれのレシーバ６に接続されている。少なくとも一つの第二の伝送経路４は、ワイヤレスである。このことは、図５の中で、変調器Ｍ１と、コントロール電極ドライバ・ステージＧ１，Ｇ２，...，Ｇｎのそれぞれの間の破線により、示されている。コントロール電極ドライバ・ステージＧ１，Ｇ２，...，Ｇｎのそれぞれは、それぞれの電力半導体スイッチＳ１，Ｓ２，...，Ｓｎに接続されている。
【００３６】
図５の中で、基準値７が、コントローラ１１へ伝送される。コントロール信号は、コントローラ１１の中で、基準値７から決定される。コントロール信号は、コントローラ１１から変調器Ｍ１へ、第一の伝送経路３を使用して伝送され、各個別のスイッチのためのデューティ・ファクターは、前記変調器の中で、コントロール信号から決定される。変調器Ｍ１の中で、駆動信号の内の少なくとも二つが、従来の変調方法を使用して変調され、そして、変調される駆動信号のパケットの中に、組み込まれる。
【００３７】
変調される駆動信号のパケットは、トランスミッタ５から、対応するコントロール電極ドライバ・ステージＧ１，Ｇ２，...，Ｇｎへ、電磁放射及びそれぞれの第二の伝送経路４を使用して、伝送される。前記駆動信号のパケットは、対応するスイッチＳ１，Ｓ２，...，Ｓｎをスイッチ・オンまたはスイッチオフするための指令を含んでいる。変調される駆動信号のパケットは、対応するコントロール電極ドライバ・ステージＧ１，Ｇ２，...，Ｇｎの中で、復調され、そして、対応する駆動信号が、コントロール電極ドライバ・ステージＧ１，Ｇ２，...，Ｇｎに割り当てられる。コントロール電極ドライバ・ステージＧ１，Ｇ２，...，Ｇｎは、次に、対応するスイッチＳ１，Ｓ２，...，Ｓｎの中で切替動作を開始する。
【００３８】
図５に示された実施形態の変形形態の中で、各個別のスイッチＳ１，Ｓ２，...，Ｓｎのデューティ・ファクターの少なくとも二つが、変調器Ｍ１の中で従来の変調方法を使用して、変調され、そして、変調される駆動信号のパケットの中に、組み込まれ、少なくとも一つのコントロール電極ドライバ・ステージＧ１，Ｇ２，...，Ｇｎへ、伝送される。変調された駆動信号のパケットは、対応するコントロール電極ドライバ・ステージＧ１，Ｇ２，...，Ｇｎの中で、復調され、そして、対応するデューティ・ファクターは、コントロール電極ドライバ・ステージＧ１，Ｇ２，...，Ｇｎに割り当てられる。対応するコントロール電極ドライバ・ステージＧ１，Ｇ２，...，Ｇｎは、それぞれのロジック・ユニットに接続され、各ロジック・ユニットの中で、デューティ・ファクターは、対応するスイッチＳ１，Ｓ２，...，Ｓｎが入り切りされる時点を決定するために使用される。コントロール電極ドライバ・ステージＧ１，Ｇ２，...，Ｇｎは、次に、対応するスイッチＳ１，Ｓ２，...，Ｓｎの中で切替動作を開始する。
【００３９】
他の実施形態（簡潔性を考慮して図示されていないが）において、少なくとも一つのコントロール信号が、電磁放射を使用して伝送されることが可能であり、少なくとも一つの対応する第一の伝送経路３は、ワイヤレスであり、少なくとも一つの駆動信号は、電磁放射を使用して伝送されることが可能である少なくとも一つの対応する第二の伝送経路４は、ワイヤレスである。
【００４０】
図６に、本発明の主題のもう一つの実施形態を示す。少なくとも一つの対応する第一の伝送経路３が、コントローラ１１と少なくとも一つの変調器Ｍ１，Ｍ２，...，Ｍｎの間に形成されている。少なくとも一つの第一の伝送経路３上で、コントローラ１１は、少なくとも一つの変調器Ｍ１，Ｍ２，...，Ｍｎに、光学的導波路により接続されている。パワー・エレクトロニクス回路２は、少なくとも一つのコントロール電極ドライバ・ステージＧ１，Ｇ２，...，Ｇｎ、少なくとも一つの電力半導体スイッチＳ１，Ｓ２，...，Ｓｎ、及び少なくとも一つのモニター・センサＦ１，Ｆ２，...，Ｆｎを有している。
【００４１】
例えばグラス・ファイバ・ケーブルまたはプラスチックからなる光ファイバ・ケーブルなどのような、光学的導波路は、それぞれの第二の伝送経路４上で、少なくとも一つの変調器Ｍ１，Ｍ２，...，Ｍｎから、コントロール電極ドライバ・ステージＧ１，Ｇ２，...，Ｇｎのそれぞれへ、通じている。コントロール電極ドライバ・ステージＧ１，Ｇ２，...，Ｇｎのそれぞれは、それぞれの電力半導体スイッチＳ１，Ｓ２，...，Ｓｎに接続されている。少なくとも一つの電力半導体スイッチＳ１，Ｓ２，...，Ｓｎは、それぞれのモニター・センサＦ１，Ｆ２，...，Ｆｎに接続されている。
【００４２】
それぞれの第三の伝送経路８が、少なくとも一つのモニター・センサＦ１，Ｆ２，...，Ｆｎと少なくとも一つの変調器Ｍ１，Ｍ２，...，Ｍｎの間に、形成される。少なくとも一つのモニター・センサＦ１，Ｆ２，...，Ｆｎは、電磁放射を伝送するためのトランスミッタ５に接続され、少なくとも一つの変調器Ｍ１，Ｍ２，...，Ｍｎは、電磁放射を受信するためのレシーバ６に接続される。少なくとも一つの対応する第三の伝送経路８は、ワイヤレスである。このことは、図６の中で、モニター・センサＦ１，Ｆ２，...，Ｆｎと少なくとも一つの変調器Ｍ１，Ｍ２，...，Ｍｎの間破線により示されている。
【００４３】
図６の中で、基準値７は、コントローラ１１へ伝送される。コントロール信号は、コントローラ１１の中で、基準値７から決定される。少なくとも一つのコントロール信号が、コントローラ１１から少なくとも一つの変調器Ｍ１，Ｍ２，...，Ｍｎへ、少なくとも一つの第一の伝送経路３を使用して伝送される。少なくとも一つの変調器Ｍ１，Ｍ２，...，Ｍｎの中で、コントロール信号は、少なくとも一つのスイッチＳ１，Ｓ２，...，Ｓｎを入り切りする時点を決定するために使用される。
【００４４】
少なくとも一つの変調器Ｍ１，Ｍ２，...，Ｍｎは、それぞれの第二の伝送経路４を使用して、それぞれの駆動信号を、それぞれのコントロール電極ドライバ・ステージＧ１，Ｇ２，...，Ｇｎへ、伝送し、ここで、前記駆動信号は、各コントロール電極ドライバ・ステージＧ１，Ｇ２，...，Ｇｎに接続されたスイッチＳ１，Ｓ２，...，Ｓｎを、スイッチ・オンまたはスイッチ・オフするための指令を含んでいる。コントロール電極ドライバ・ステージＧ１，Ｇ２，...，Ｇｎは、次に、対応するスイッチＳ１，Ｓ２，...，Ｓｎの中で、切替動作を開始する。
【００４５】
少なくとも一つのモニター・センサＦ１，Ｆ２，...，Ｆｎは、例えば電圧または電流などのような、パワー・エレクトロニクス回路２の中の個別のコンポーネントの状態、及び全体のパワー・エレクトロニクス回路２の状態を測定するために使用される。その状態の値は、フィードバック信号として、トランスミッタ５からレシーバ６へ、ワイヤレスで伝送され、スイッチＳ１，Ｓ２，...，Ｓｎのデューティ・ファクターを決定するときに、考慮に入れられる。
【００４６】
その状態の値は、例えば、漏電、スイッチＳ１，Ｓ２，...，Ｓｎの故障、伝送される信号の一つの中のエラーなどのような、情報の項目であっても良い。
【００４７】
図６に示された本発明の実施形態の変形形態の中で、少なくとも一つの第三の伝送経路８が、少なくとも一つのモニター・センサＦ１，Ｆ２，...，Ｆｎからコントローラ１１へ、通じている。
【００４８】
図６に示された実施形態のもう一つの変形形態の中で、少なくとも一つのモニター・センサＦ１，Ｆ２，...，Ｆｎは、少なくとも一つの電力半導体スイッチＳ１，Ｓ２，...，Ｓｎの代わりに、パワー・エレクトロニクス回路２の中の他のコンポーネントに接続されることも可能である。
【００４９】
図６に示された実施形態の更なる変形形態として、少なくとも一つのコントロール電極ドライバ・ステージＧ１，Ｇ２，...，Ｇｎが、対応するコントロール電極ドライバ・ステージが漏電に対して反応するための使用することが可能なロジック・ユニットを有することも考えられる。少なくとも一つのフィードバック信号は、少なくとも一つのコントロール電極ドライバ・ステージＧ１，Ｇ２，...，Ｇｎへ、電磁放射を使用して且つワイヤレスのやり方で、直接伝送されることが可能であり、そして、前記コントロール電極ドライバ・ステージの中で、対応するスイッチＳ１，Ｓ２，...，Ｓｎを入り切りするときに、考慮に入れられることが可能である。
【００５０】
もう一つの実施形態（簡潔性を考慮して図示されていないが）において、少なくとも一つのフィードバック信号が、電磁放射を使用して伝送されることが可能であり、そして、少なくとも一つの対応する第三の伝送経路８は、ワイヤレスである。それに加えて、少なくとも一つのコントロール信号が、電磁放射を使用して伝達されることが可能であり、且つ、少なくとも一つの対応する第一の伝送経路８は、ワイヤレスであり、および／または、少なくとも一つの駆動信号が電磁放射を使用して伝達されることが可能であり、且つ、少なくとも一つの対応する第二の伝送経路４は、ワイヤレスである。
【００５１】
少なくとも一つのコントロール信号、および／または、少なくとも一つの駆動信号、および／または、少なくとも一つのフィードバック信号は、電磁放射を使用する伝送のための変調方法を使用して変調されることが可能である。従来の変調方法、例えば周波数変調、時間変調、または位相変調は、変調方法として適切である。０．４ＧＨｚから４００ＧＨｚまでの範囲内の電磁放射は、そのような変調のための少なくとも一つの搬送周波数として、特に適切である。変換器の中で、数百ヘルツまでの周波数でノイズが発生し、その結果、ギガヘルツ領域の中で信号を伝送するとき、前記信号は、変換器の中でノイズによって有害な影響を受けない。それに加えて、伝送速度が、この周波数領域内では高く、且つ、信号伝送のコスト効率が良い。
【００５２】
対応する信号が伝送される周波数領域のために、その伝送領域および／または受信領域がデザインされたアンテナが、少なくとも一つのトランスミッタ５及び少なくとも一つのレシーバ６として、使用されることが可能である。
【００５３】
本発明の主題の上記の実施形態は、唯一つのコントローラ１１を有している。しかしながら、信号伝送システムが複数のコントローラ１１を有し、そして、コントローラのそれぞれが、少なくとも一つのそれぞれの変調器Ｍ１，Ｍ２，...，Ｍｎへ、少なくとも一つのコントロール信号を伝送することも、考えられる。
【００５４】
少なくとも一つの第一の伝送経路３および／または第二の伝送経路４のそれぞれは、対応する伝送経路３，４上で、フィードバック信号を返すために使用されることも可能であり、かくして、それぞれのコンポーネントの状態について、迅速なフィードバックを実現することが可能になる。このケースでは、コントローラ１１は、例えば、少なくとも一つのコントロール信号を伝送するためのトランスミッタ５、及び少なくとも一つのフィードバック信号を、少なくとも一つの変調器Ｍ１，Ｍ２，...，Ｍｎから受信するためのレシーバ６に、接続される。少なくとも一つの変調器Ｍ１，Ｍ２，...，Ｍｎは、少なくとも一つのコントロール信号を受信するためのレシーバ６、及び少なくとも一つのフィードバック信号を伝送するための少なくとも一つのトランスミッタ５に接続される。
【００５５】
伝送兼受信ユニットは、それぞれトランスミッタ５及びレシーバ６を有し、電磁放射の伝送及び受信の双方のために使用されることが可能である。そのような伝送兼受信ユニットを設けることも可能である。
【００５６】
上記の信号伝送システムの一つは、好ましくは、変換器の中で、使用されることが可能である。その理由は、変換器が複数の電力半導体スイッチＳ１，Ｓ２，...，Ｓｎを有し、それらが、本発明の信号伝送システムを使用して、信頼性が高いやり方で入り切りされることが可能であるからであり、かくして、高いレベルの稼働率を有するからである。本発明の変換器は更に、機械的に安定であり、コンタミネイションの影響を非常に受けにくい。
【図面の簡単な説明】
【００５７】
【図１】図１は、スター構造を有する従来の信号伝送システムを示す。
【図２】図２は、コントローラと変調器の間にワイヤレスの第一の伝送経路を有する本発明の信号伝送システムを示す。
【図３】図３は、コントローラとｎ個の変調器の間にｎ個のワイヤレスの第一の伝送経路を有する本発明の信号伝送システムを示す。
【図４】図４は、変調器とｎ個のコンロール電極ドライバ・ステージの間にｎ個のワイヤレスの第二の伝送経路を有する本発明の信号伝送システムを示す。
【図５】図５は、変調器とｎ個のコンロール電極ドライバ・ステージの間にｎ個のワイヤレスの第二の伝送経路を有する本発明の信号伝送システムを示し、ここで、変調される駆動信号のパケットは、トランスミッタから伝送されることが可能である。
【図６】図６は、ｎ個のモニター・センサとコントローラの間にｎ個のワイヤレスの第三の伝送経路を有する本発明の信号伝送システムを示す。
【符号の説明】
【００５８】
１…駆動デバイス、１１…コントローラ、２…パワー・エレクトロニクス回路、３…第一の伝送経路、４…第二の伝送経路、５…トランスミッタ、６…レシーバ、７…基準値、８…第三の伝送経路、Ｍ１，Ｍ２，...，Ｍｎ…変調器、Ｇ１，Ｇ２，...，Ｇｎ…コントロール電極ドライバ・ステージ、Ｓ１，Ｓ２，...，Ｓｎ…電力半導体スイッチ、Ｆ１，Ｆ２，...，Ｆｎ…モニター・センサ。
【図１】
2008517496.tif 000003
【図２】
2008517496.tif 000004
【図３】
2008517496.tif 000005
【図４】
2008517496.tif 000006
【図５】
2008517496.tif 000007
【図６】
2008517496.tif 000008
【手続補正書】
【提出日】平成18年5月24日(2006.5.24)
【手続補正１】
【補正対象書類名】特許請求の範囲
【補正対象項目名】全文
【補正方法】変更
【補正の内容】
【特許請求の範囲】
【請求項１】
パワー・エレクトロニクス回路（２）の少なくとも一つの電力半導体スイッチ（Ｓ１，Ｓ２，...，Ｓｎ）を、コントローラ（１１）から駆動するための信号伝送システムであって、
各電力半導体スイッチ（Ｓ１，Ｓ２，...，Ｓｎ）は、それぞれのコントロール電極ドライバ・ステージ（Ｇ１，Ｇ２，...，Ｇｎ）に接続されており、
前記コントローラ（１１）は、少なくとも一つのコントロール信号を、少なくとも一つの変調器（Ｍ１，Ｍ２，...，Ｍｎ）へ、少なくとも一つの第一の伝送経路（３）を使用して伝送することが可能であり、
前記少なくとも一つの変調器（Ｍ１，Ｍ２，...，Ｍｎ）は、少なくとも一つの駆動信号を、前記コントロール電極ドライバ・ステージ（Ｇ１，Ｇ２，...，Ｇｎ）のそれぞれへ、それぞれの第二の伝送経路（４）を使用して伝送することが可能である、
信号伝送システムにおいて、
少なくとも一つのコントロール信号、および／または、少なくとも一つの駆動信号が、電磁放射を伝送するためのアンテナを有するトランスミッタ（５）から、電磁放射を受信するためのアンテナを有するレシーバ（６）へ、電磁放射を使用して伝送されることが可能であり、
その内の少なくとも一つの対応する伝送経路（３，４）が、ワイヤレスであり、
前記少なくとも一つのコントロール信号、および／または、少なくとも一つの駆動信号は、変調方法を使用して変調され、且つ、０．４ＧＨｚから４００ＧＨｚまでの範囲内の少なくとも一つの搬送周波数を有し、
前記少なくとも一つの対応する伝送経路（３，４）は、ワイヤレスであること、
を特徴とする信号伝送システム。
【請求項２】
下記特徴を有する請求項１に記載の信号伝送システム：
前記少なくとも一つのコントロール信号は、電磁放射を使用して伝達されることが可能であり、
前記少なくとも一つの対応する第一の伝送経路（３）は、ワイヤレスであり、
前記コントローラ（１１）は、電磁放射を伝送するためのアンテナを有するトランスミッタ（５）を有し、
少なくとも一つの変調器（Ｍ１，Ｍ２，...，Ｍｎ）は、電磁放射を受信するためのアンテナを有するレシーバ（６）を有し、
前記コントローラ（１１）は、前記トランスミッタ（５）に接続され、
前記少なくとも一つの変調器（Ｍ１，Ｍ２，...，Ｍｎ）は、それぞれのレシーバ（６）に接続されている。
【請求項３】
下記特徴を有する請求項１に記載の信号伝送システム：
前記少なくとも一つの駆動信号は、電磁放射を使用して伝送されることが可能であり、
前記少なくとも一つの対応する第二の伝送経路（４）は、ワイヤレスであり、
少なくとも一つの変調器（Ｍ１，Ｍ２，...，Ｍｎ）は、電磁放射を伝送するためのアンテナを有するそれぞれのトランスミッタ（５）に接続され、
少なくとも一つのコントロール電極ドライバ・ステージ（Ｇ１，Ｇ２，...，Ｇｎ）は、電磁放射を受信するためのアンテナを有するそれぞれのレシーバ（６）に接続され、
それぞれの第二の伝送経路（４）は、各トランスミッタ（５）からそれぞれのレシーバ（６）へ通じている。
【請求項４】
下記特徴を有する請求項１に記載の信号伝送システム：
前記電力半導体スイッチ（Ｓ１，Ｓ２，...，Ｓｎ）の内の少なくとも一つは、それぞれの状態の値を伝送するために、それぞれのモニター・センサ（Ｆ１，Ｆ２，...，Ｆｎ）に接続され、
前記少なくとも一つの状態の値は、それぞれのフィードバック信号に変換されることが可能であり、
少なくとも一つの第三の伝送経路（８）は、それぞれのフィードバック信号を伝送する目的のために、前記モニター・センサ（Ｆ１，Ｆ２，...，Ｆｎ）の少なくとも一つから、少なくとも一つの変調器（Ｍ１，Ｍ２，...，Ｍｎ）へ、または前記コントローラ（１１）へ、通じていて、
前記少なくとも一つのフィードバック信号は、電磁放射を使用して伝送されることが可能であり、
前記少なくとも一つの対応する第三の伝送経路（８）は、ワイヤレスである。
【請求項５】
下記特徴を有する請求項４に記載の信号伝送システム：
前記少なくとも一つのモニター・センサ（Ｆ１，Ｆ２，...，Ｆｎ）は、電磁放射を伝送するためのアンテナを有するそれぞれのトランスミッタ（５）を有し、
前記少なくとも一つの変調器（Ｍ１，Ｍ２，...，Ｍｎ）または前記コントローラ（１１）は、電磁放射を受信するためのアンテナを有するそれぞれのレシーバ（６）を有し、
少なくとも一つのモニター・センサ（Ｆ１，Ｆ２，...，Ｆｎ）は、それぞれのトランスミッタ（５）に接続され、
前記少なくとも一つの変調器（Ｍ１，Ｍ２，...，Ｍｎ）または前記コントローラ（１１）は、前記少なくとも一つのレシーバ（６）に接続されている。
【請求項６】
パワー・エレクトロニクス回路（２）の少なくとも一つの電力半導体スイッチ（Ｓ１，Ｓ２，...，Ｓｎ）を、コントローラ（１１）から駆動するための、信号伝送システムであって、
各電力半導体スイッチ（Ｓ１，Ｓ２，...，Ｓｎ）は、それぞれのコントロール電極ドライバ・ステージ（Ｇ１，Ｇ２，...，Ｇｎ）に接続されており、
前記コントローラ（１１）は、少なくとも一つのコントロール信号を、少なくとも一つの変調器（Ｍ１，Ｍ２，...，Ｍｎ）へ、少なくとも一つの第一の伝送経路（３）を使用して伝送することが可能であり、
前記少なくとも一つの変調器（Ｍ１，Ｍ２，...，Ｍｎ）は、少なくとも一つの駆動信号を、前記コントロール電極ドライバ・ステージ（Ｇ１，Ｇ２，...，Ｇｎ）のそれぞれへ、それぞれの第二の伝送経路（４）を使用して伝送することが可能であり、
前記電力半導体スイッチ（Ｓ１，Ｓ２，...，Ｓｎ）の少なくとも一つは、それぞれの状態の値を伝送するために、それぞれのモニター・センサ（Ｆ１，Ｆ２，...，Ｆｎ）に接続され、
少なくとも一つの状態の値は、それぞれのフィードバック信号に変換されることが可能であり、
少なくとも一つの第三の伝送経路（８）は、それぞれのフィードバック信号を伝送する目的のために、前記モニター・センサ（Ｆ１，Ｆ２，...，Ｆｎ）の少なくとも一つから、少なくとも一つの変調器（Ｍ１，Ｍ２，...，Ｍｎ）へ、または前記コントローラ（１１）へ、通じていて、
少なくとも一つのフィードバック信号は、電磁放射を使用して伝送されることが可能である、
信号伝送システムにおいて、
前記少なくとも一つのモニター・センサ（Ｆ１，Ｆ２，...，Ｆｎ）は、電磁放射を伝送するためのアンテナを有するそれぞれのトランスミッタ（５）を有し、
少なくとも一つの変調器（Ｍ１，Ｍ２，...，Ｍｎ）または前記コントローラ（１１）は、電磁放射を受信するためのアンテナを有するそれぞれのレシーバ（６）を有し、
少なくとも一つのモニター・センサ（Ｆ１，Ｆ２，...，Ｆｎ）は、それぞれのトランスミッタ（５）に接続され、
少なくとも一つの変調器（Ｍ１，Ｍ２，...，Ｍｎ）または前記コントローラ（１１）は、前記少なくとも一つのレシーバ（６）に接続され、
前記少なくとも一つのフィードバック信号は、変調方法を使用して変調され、且つ０．４ＧＨｚから４００ＧＨｚまでの範囲内の少なくとも一つの搬送周波数を有し、
対応する少なくとも一つの第三の伝送経路（８）は、ワイヤレスであること、
を特徴とする信号伝送システム。
【請求項７】
複数の電力半導体スイッチ（Ｓ１，Ｓ２，...，Ｓｎ）を有し、且つ請求項１から６のいずれか１項に記載された信号伝送システムを有する変換器。
【国際調査報告】
2008517496.tif 000009
2008517496.tif 000010
2008517496.tif 000011
2008517496.tif 000012